(57)【要約】【課題】  オンエアに支障を与えることを防ぎ、かつ字幕収録の制御が容易に行える字幕収録制御装置および字幕収録制御方法を提供する。【解決手段】  字幕収録の編集作業時間中にＡＰＣ（自動番組送出設備）２がオンエア用の機器の対象としない再生ＶＴＲ３（＃Ｎ）、字幕送出装置５（＃Ｍ）、収録ＶＴＲ６（＃ｎ）を指定し、ＡＰＣ（自動番組送出設備）２と同様のリアルタイムの制御信号を前記指定された機器へ字幕収録制御装置７からネットワーク１０を介して送信することにより局内時計８を参照して字幕送出装置５（＃Ｍ）で再生ＶＴＲ３（＃Ｎ）から出力されるＳＤＩ信号に字幕サーバ４から出力された字幕データを重畳した重畳ＳＤＩ信号を作成して収録ＶＴＲ６（＃ｎ）へ記録する制御を行う。【選択図】  図１
2006319574.tif 000002
【特許請求の範囲】
【請求項１】
デジタル放送用のスタジオに設置され、時刻情報が伝送されると共に前記デジタル放送のオンエアを制御するＡＰＣ（自動番組送出装置）との間で制御信号が入出力される第１のネットワークおよび前記制御信号により制御されるスイッチャを介してオンエア用の番組素材信号を伝送する第２のネットワークとに接続されるそれぞれが識別情報を有する複数の再生ＶＴＲと複数の収録ＶＴＲと少なくとも１台からなる字幕送出装置とを制御して、前記再生ＶＴＲのうちいずれかが出力するＳＤＩ信号に字幕データを重畳した重畳ＳＤＩ信号を前記字幕送出装置から前記収録ＶＴＲのうちいずれかに入力して記録する字幕収録制御装置において、
前記第１のネットワークに接続され字幕収録の制御信号を入出力する通信手段と、
前記再生ＶＴＲ、前記収録ＶＴＲ、および字幕送出装置の各前記識別情報と、前記第１、第２のネットワークに接続される字幕サーバが前記第２のネットワークに出力して前記重畳される字幕データとを指定して入力する入力手段と、
前記入力された各前記識別情報と字幕データとを用いてコマンドとなる前記字幕収録の制御信号を生成して前記通信手段を介して前記第１のネットワークに送信し、前記指定された再生ＶＴＲが出力するＳＤＩ信号と前記指定された前記字幕データとを前記第２のネットワークを介して前記指定された前記字幕送出装置へ入力し、当該字幕送出装置が生成した前記重畳ＳＤＩ信号を前記第２のネットワークを介して前記指定された前記収録ＶＴＲへ入力して記録する制御を行う制御手段とを
具備することを特徴とする字幕収録制御装置。
【請求項２】
前記コマンドは、
前記第２のネットワークに接続されて前記字幕収録を行う前記再生ＶＴＲと前記収録ＶＴＲと前記字幕送出装置とを指定する接続コマンド、前記重畳される字幕データを指定するセットコマンド、前記時刻情報を照合して前記接続コマンドにより接続された前記再生ＶＴＲと前記収録ＶＴＲと前記字幕送出装置および前記字幕サーバのそれぞれが動作を開始する順序と時間間隔とを制御する開始コマンド、および前記それぞれが動作を終了する順序と時間間隔とを制御する終了コマンドのうちいずれかであること
を特徴とする請求項１に記載の字幕収録制御装置。
【請求項３】
前記開始コマンド、または前記終了コマンドに制御される前記の動作開始および終了の順序と時間間隔は、不変の順序で前記制御手段が備えるメモリに記憶され、前記接続コマンドで指定された識別情報に対応する前記再生ＶＴＲと前記収録ＶＴＲと前記字幕送出装置は、前記記憶された順序で動作することを特徴とする請求項２に記載の字幕収録制御装置。
【請求項４】
各前記時間間隔は、前記入力部から設定されるか、または、前記制御手段に設けられるダイヤルによって設定されることを特徴とする請求項３に記載の字幕収録制御装置。
【請求項５】
デジタル放送用のスタジオに設置され、時刻情報が伝送されると共に前記デジタル放送のオンエアを制御するＡＰＣ（自動番組送出装置）との間で制御信号が入出力される第１のネットワークおよび前記制御信号により制御されるスイッチャを介してオンエア用の番組素材信号を伝送する第２のネットワークとに接続されるそれぞれが識別情報を有する複数の再生ＶＴＲと複数の収録ＶＴＲと少なくとも１台からなる字幕送出装置とを制御して、前記再生ＶＴＲのうちいずれかが出力するＳＤＩ信号に字幕データを重畳した重畳ＳＤＩ信号を前記字幕送出装置から前記収録ＶＴＲのうちいずれかに入力して記録する制御を行う字幕収録制御装置の文字収録制御方法において、
前記字幕収録制御装置は、入力手段と通信手段と制御手段とを備え、
前記入力手段は、
前記再生ＶＴＲと前記収録ＶＴＲと前記字幕送出装置台との前記識別情報と、前記第１、第２のネットワークに接続される字幕サーバから前記第２のネットワークに出力されて前記重畳される字幕データの指定情報とを前記制御手段へ出力し、
前記制御手段は、
前記入力された各前記識別情報と前記指定情報とを用いてコマンドとなる字幕収録の制御信号を生成して前記通信手段を介して前記第１のネットワークに送信することにより、前記第１のネットワークを介して前記指定された再生ＶＴＲが出力するＳＤＩ信号と前記重畳される字幕データとを前記第２のネットワークを介して前記指定された前記字幕送出装置へ入力し、当該字幕送出装置が生成した前記重畳字幕ＳＤＩ信号を前記第２のネットワークを介して前記指定された収録ＶＴＲへ入力して記録する制御を行う
ことを特徴とする字幕収録制御装置の文字収録制御方法。
【請求項６】
前記コマンドは、
前記第２のネットワークに接続されて前記字幕収録を行う前記再生ＶＴＲと前記収録ＶＴＲと前記字幕送出装置とを指定する接続コマンド、前記重畳される字幕データを指定するセットコマンド、前記時刻情報を照合して前記接続コマンドにより接続された再生ＶＴＲと前記収録ＶＴＲと字幕送出装置および前記字幕サーバのそれぞれが動作を開始する順序と時間間隔とを制御する開始コマンド、および前記それぞれが動作を終了する順序と時間間隔とを制御する終了コマンドのうちいずれかであること
を特徴とする請求項５に記載の字幕収録制御装置の文字収録制御方法。
【請求項７】
前記開始コマンド、または前記終了コマンドに制御される前記開始および前記終了の順序と時間間隔は、不変の順序で前記制御手段が備えるメモリに記憶され、前記接続コマンドで指定された識別情報に対応する前記再生ＶＴＲと前記収録ＶＴＲと前記字幕送出装置は、前記記憶された順序で動作することを特徴とする請求項６に記載の字幕収録制御装置の文字収録制御方法。
【請求項８】
各前記時間間隔は、前記入力部から設定されるか、または、前記制御手段に設けられるダイヤルによって設定されることを特徴とする請求項７に記載の字幕収録制御装置の文字収録制御方法。
【発明の詳細な説明】
【技術分野】
【０００１】
本発明は、デジタル字幕放送の字幕収録制御装置および字幕収録制御方法に関する。
【背景技術】
【０００２】
近年、テレビ放送は、従来のアナログ放送に代わり、多機能なデジタル放送の導入が進んでいる。その中で画面の文字（字幕）表示については、従来のアナログ放送、標準デジタル（ＳＤ）放送、高精細デジタル（ＨＤ）放送など映像と文字（字幕）が重畳された放送番組信号を作成し、それを記録保存する編集が行われる。
【０００３】
放送局では、放送信号を映像のＳＤＩ（Ｓｅｒｉａｌ  Ｄｅｇｉｔａｌ  Ｉｎｔｅｆａｃｅ、以下、ＳＤＩ信号と称する。）信号と、字幕データが含まれるＡＮＣデータ（Ａｎｃｉｌｌａｒｙ  Ｄａｔａ：補助情報）との組合せからなる放送番組信号を作成してＶＴＲに収録する字幕映像収録の編集作業が行われる。この編集作業は、再生ＶＴＲに記憶された映像信号に字幕サーバから出力される字幕データを字幕送出装置で重畳することにより字幕が重畳されたＳＤＩ信号（以下、重畳ＳＤＩ信号と称する。）を作成して収録ＶＴＲに記録するものである。
【０００４】
図１１は、従来の放送局のスタジオで字幕収録に係わる機器構成を説明する系統図を示す。  
図１１において、スタジオでは、番組信号を放送するためのオンエア系と、編集作業を行う字幕映像収録系との２系統を構成する各種の機器が備えられる。  
字幕映像収録系は、オンエアに備えて予め番組素材信号である重畳ＳＤＩ信号を作成してオフラインで記録するものである。そして、オンエア系に備えられるものと同じ性能仕様を持つ再生ＶＴＲ３０、字幕送出装置５０、収録ＶＴＲ６０、および更に必要で有ればこれらの機器を制御するための制御端末７０とから構成される。字幕映像収録系では、例えば、字幕データが字幕サーバ４からディスクメモリなどの記憶媒体を介して字幕送出装置５０へ入力されることによりオンエア系とは独立してオフラインで字幕多重の編集作業を行う。
【０００５】
しかし、これらの再生ＶＴＲ３０、および収録ＶＴＲ６０等は高価であり、また稼働率が低いと放送局の運用コストが悪くなるため、独立した系統の字幕映像収録系用の上記の各機器を備えずにオンエア系の再生ＶＴＲ３３や収録ＶＴＲ６６等を共用して字幕多重の編集作業を行う方法がある。
【０００６】
図１１において、オンエア系は、番組時刻表を管理するデータサーバ（以下、ＤＳと称する。）１１と、ＤＳ１から供給される番組時刻表を実行する進行表に従い、番組素材信号を入出力する各種の機器等を選択して切り替える制御を行うＡＰＣ（自動番組送出装置）２２、ＡＰＣ２２と各種の機器との間で各種制御信号を送受信するネットワーク１００と局内時計８０等が備えられる。
【０００７】
ＡＰＣ２２に制御される各種の機器には、ＳＤＩ信号を再生して出力する再生ＶＴＲ３３（＃１〜＃Ｎ）、字幕データを出力する字幕サーバ４４、字幕データと再生ＶＴＲ３３（または、図示しない機器等）から出力されるＳＤＩ信号とが入力され、重畳ＳＤＩ信号を出力する字幕送出装置５５（ここでは、＃１〜＃３とする。）、および字幕送出装置５５が出力する重畳ＳＤＩ信号や図示されない各種の機器からのＳＤＩ信号を記録する収録ＶＴＲ６６（＃１〜＃ｎ）がある。
【０００８】
そして、オンエア系は、再生ＶＴＲ３３、収録ＶＴＲ６６、字幕送出装置５５、送信器等の機器が素材信号伝送系９９へ接続される。素材信号伝送系９９は、図示されないＡＰＣ２２によって制御される図示されないスイッチャを備え、それらの接続機器の間でＳＤＩ信号、または重畳ＳＤＩ信号、および字幕データ等各種の番組素材信号を伝送する。
【０００９】
オンエア系を構成する各機器でオンエアと字幕データをＳＤＩ信号に重畳して重畳ＳＤＩ信号を収録する場合は、ＡＰＣ２２の制御プログラムによりオンエアされる番組素材信号を出力する機材として、例えば、再生ＶＴＲ３３と字幕送出装置５５については、それぞれ、現用機器（＃１）と予備機器（＃２）との２台が設定される。そして、現用機器のＶＴＲ３３（＃１）から出力されるＳＤＩ信号出力が素材信号伝送系９９（図示されないスイッチャ）を介して現用機器の字幕送出装置５５（＃１）へ入力され、同じく現用機器の字幕送出装置５５（＃１）で作成された重畳ＳＤＩ信号が再び素材信号伝送系９９（スイッチャ）を介して送信器へ出力される。
【００１０】
また、例えば、オリンピック番組の様に３ヶ国語の字幕が映像に重畳されてリアルタイムでオンエアされる場合には、複数の字幕送出装置５５が同時に動作し、ＡＰＣ２２からの制御信号によって局内時計８８を参照することにより３カ国語の各字幕信号とＳＤＩ信号とが同期して重畳された重畳ＳＤＩ信号を出力する制御が行われる。そして、ネットワーク９９を介して重畳ＳＤＩ信号が送信器等へ出力される様になっている（例えば、特許文献１。）。
【００１１】
また同時に、従来の独立した字幕映像収録系に代わり重畳ＳＤＩ信号を作成するための機器として、非使用中の再生ＶＴＲ３３（＃Ｎ）、字幕送出装置５５（ここでは、＃３とする。）、および収録ＶＴＲ６６（＃ｎ）が例えば、プログラマ（または、ＡＰＣ２のオペレータ）によって調べ出される。そして、オンエアに支障ない様に各機材を動作させるＡＰＣ２２の制御プログラムがプログラマによって作成される。
【００１２】
この制御プログラムにより、字幕送出装置５５（＃３）では、オンエア系と同様に重畳ＳＤＩ信号が作成され素材信号伝送系９９を介して収録ＶＴＲ６６（＃ｎ）へ入力、および記録される。
【００１３】
番組信号のオンエアと字幕収録との２つをリアルタイム処理するＡＰＣの制御プログラムを作成するには、オンエア系に支障が起きない様に字幕収録を行う機器の指定や動作手順を定めなければならない。上記例の如く３カ国後のオンエアの字幕重畳と同時に字幕収録の編集作業を行う様な多数の機器が同時に動作する場合、特に制御プログラムが複雑になって作成時間がかかる問題がある。その結果、字幕収録に要する装置の機材費よりもＡＰＣの制御プログラム作成の累計コストが大きくなる場合も生じる問題があった。
【特許文献１】特開平１０−１７８５８７号公報  （第１０頁、第１図）
【発明の開示】
【発明が解決しようとする課題】
【００１４】
従来のＡＰＣを利用したＳＤＩ信号に字幕を重畳して記録する字幕収録の編集作業は、番組信号のオンエアと字幕収録の編集作業とをリアルタイム処理するＡＰＣの制御プログラムを作成しなければならないが、オンエアに支障が起きない様に機器の指定や動作手順を定めなければならず制御プログラムが複雑になる問題があった。
【００１５】
本発明は上記問題を解決するためになされたもので、ＡＰＣに接続された機器を利用して字幕収録を行ってもオンエア系に支障を与えることを防ぎ、かつ字幕収録の制御が容易に行える字幕収録制御装置、および字幕収録制御方法を提供することを目的とする。
【課題を解決するための手段】
【００１６】
上記目的を達成するために、本発明の字幕収録制御装置は、デジタル放送用のスタジオに設置され、時刻情報が伝送されると共に前記デジタル放送のオンエアを制御するＡＰＣ（自動番組送出装置）との間で制御信号が入出力される第１のネットワークと、前記制御信号により制御されるスイッチャを介してオンエア用の番組素材信号を伝送する第２のネットワークとに接続され、それぞれが識別情報を有する複数の再生ＶＴＲと複数の収録ＶＴＲ、少なくとも１台からなる字幕データとＳＤＩ信号を重畳して出力する字幕送出装置とを制御して、前記再生ＶＴＲが出力するＳＤＩ信号に字幕データを重畳した重畳ＳＤＩ信号を前記収録ＶＴＲに記録する制御を行う字幕収録制御装置において、前記第１のネットワークに接続され制御信号を入出力する通信手段と、前記再生ＶＴＲ、前記収録ＶＴＲ、および字幕送出装置各１台の前記識別情報と、前記第１、第２のネットワークに接続される字幕サーバが前記第２のネットワークに出力する前記重畳される字幕データとを指定して入力する入力手段と、前記入力された各識別情報と前記重畳される字幕データの組合せからなる字幕収録の各種のコマンドの制御信号を生成して前記第１のネットワークに送信し、前記指定された再生ＶＴＲが出力するＳＤＩ信号と前記指定され前記重畳される字幕データを前記第２のネットワークを介して前記指定された字幕送出装置へ入力し、前記字幕送出装置が生成した前記重畳字幕ＳＤＩ信号を前記第２のネットワークを介して前記指定された収録ＶＴＲへ入力して記録する制御を行う制御手段とを具備することを特徴とする。
【００１７】
また本発明の字幕収録制御装置の文字収録制御方法は、デジタル放送用のスタジオに設置され、時刻情報が伝送されると共に前記デジタル放送のオンエアを制御するＡＰＣ（自動番組送出装置）との間で制御信号が入出力される第１のネットワークと、前記制御信号により制御されるスイッチャを介してオンエア用の番組素材信号を伝送する第２のネットワークとに接続され、それぞれが識別情報を有する複数の再生ＶＴＲと複数の収録ＶＴＲ、少なくとも１台からなる字幕データとＳＤＩ信号を重畳して出力する字幕送出装置とを制御して、前記再生ＶＴＲが出力するＳＤＩ信号に字幕データを重畳した重畳ＳＤＩ信号を前記収録ＶＴＲに記録する制御を行う字幕収録制御装置の文字収録制御方法において、前記字幕収録制御装置は、入力手段と、通信手段と、制御手段とを備え、前記入力手段は、前記再生ＶＴＲ、前記収録ＶＴＲ、および字幕送出装置各１台の前記識別情報と、前記第１、第２のネットワークに接続される字幕サーバが前記第２のネットワークに出力する前記重畳される字幕データとの指定情報を前記制御手段へ出力し、前記識別情報と前記指定情報が入力された前記制御手段は、前記入力された各識別情報と前記重畳される字幕データの組合せからなる字幕収録の各種のコマンドの制御信号を生成して前記通信手段を介して前記第１のネットワークに送信することにより、前記第１のネットワークを介して前記指定された再生ＶＴＲが出力するＳＤＩ信号と前記指定され前記重畳される字幕データを前記第２のネットワークを介して前記指定された字幕送出装置へ入力し、前記字幕送出装置が生成した前記重畳字幕ＳＤＩ信号を前記第２のネットワークを介して前記指定された収録ＶＴＲへ入力して記録する制御を行うことを特徴とする。
【発明の効果】
【００１８】
本発明によれば、オンエアに支障を与えることを防ぎ、オンエアと同時に字幕収録が容易に行える字幕収録制御装置、および字幕収録制御方法を提供することができる。
【発明を実施するための最良の形態】
【００１９】
以下、図面を参照して本発明の実施例を説明する。
【実施例】
【００２０】
図１は、本発明の実施例に係る字幕収録制御装置および字幕収録制御方法の動作説明をする機器系統図である。
【００２１】
図１において放送局スタジオは、オンエア、および字幕収録に使用される機器として、ＤＳ（データサーバ）１、ＡＰＣ（自動番組送出設備）２、再生ＶＴＲ３（＃１〜＃Ｎ）、字幕サーバ４、字幕送出装置５（＃１〜＃Ｍ）、収録ＶＴＲ６（＃１〜＃ｎ）、字幕収録制御装置７、局内時計８、素材信号伝送系９と、ＡＰＣ２と上記の各機器との間を接続して制御信号を伝送するネットワーク１０とを備えている。
【００２２】
ＤＳ１は、番組時刻表を管理するデータサーバ（以下、ＤＳと称する。）であり、ＡＰＣ（自動番組送出装置）２は、ＤＳ１から供給される番組時刻表を実行する進行表に従って番組素材信号を入出力する各種の機器等を選択して切り替える制御を行う。
【００２３】
ＡＰＣ２と上記各種の機器との間は、各種制御信号を送受信するネットワーク１０で接続され、ネットワーク１０を介してＡＰＣ２から送信される制御信号を受信した各機器は、ＡＰＣ２へ受信応答を行うコマンド・レスポンス通信を行い、制御信号で指示された動作を行う。また、局内時計８は、このネットワーク１０に接続される各機器へ時刻情報を送信し、この時刻情報を受信することによりスタジオ内の各機器が同期して動作する。
【００２４】
ＡＰＣ２に制御される機器には、ＳＤＩ信号を再生して出力する再生ＶＴＲ３（＃１〜＃Ｎ）、字幕データを出力する字幕サーバ４、字幕データと再生ＶＴＲ３（または、図示しない機器等）から出力されるＳＤＩ信号とが入力され重畳ＳＤＩ信号を出力する字幕送出装置５（＃１〜＃Ｍ）、字幕送出装置５が出力する重畳ＳＤＩ信号や図示されない各種の機器からのＳＤＩ信号を記録する収録ＶＴＲ６（＃１〜＃ｎ）、および後述される素材信号伝送系９に付属する図示されないスイッチャがある。
【００２５】
字幕収録制御装置７は、字幕収録のための専用制御装置であるがそれ以外の機器は、主として従来と同様にＡＰＣ２に制御されるオンエア系の機器として使用されるとともに、字幕収録制御装置７に制御され字幕収録にも利用される。
【００２６】
素材信号伝送系９は、再生ＶＴＲ３、収録ＶＴＲ６、字幕送出装置５、字幕サーバ４、送信器等の各機器の間でＳＤＩ信号、重畳ＳＤＩ信号、または字幕データ等各種の番組素材信号を伝送するネットワークである。
【００２７】
素材信号伝送系９は、ネットワーク１０に接続される図示されないスイッチャを含んでいる。このスイッチャには、各機器が素材信号伝送系９との間で入出力する番組素材信号の入出力ポートが接続され、スイッチャでは、ＡＰＣ２からネットワーク１０を介して入力される制御信号に従って各機器間の入出力ポートに対応するスイッチャのクロスポイント（信号接続点）が指定される。そして、所定のオンエアされる番組素材信号を入出力する機器の間でＳＤＩ信号始めオンエア系の番組素材信号が素材信号伝送系９を介して伝送される。
【００２８】
図示されないスイッチャは、ＡＰＣ２に制御されるオンエア系の機器と同様に字幕収録制御装置７がネットワーク１０を介して出力する制御信号により制御される。そして、字幕収録に用いられる機器の間で字幕信号、ＳＤＩ信号、および重畳ＳＤＩ信号などが素材信号伝送系９を介して伝送される。
【００２９】
図２は、ＡＰＣ２の機能構成を説明するブロック図である。  
図２において、ＡＰＣ２は、それぞれが内部バス等で接続される通信Ｉ／Ｆ（インタフェース）２１、ＣＰＵ２３、記憶部２４、例えばキーボード、ボタン等からなる入力部２５とディスプレイ２６とを備えている。記憶部２４は、進行表２４１、制御テーブル２４２、オンエア制御プログラム２４３等を記憶する
通信Ｉ／Ｆ２１は、ネットワーク１０との間で制御信号等を入出力する。ＣＰＵ２３は、ネットワーク１０との間で入出力されるデータを記憶部２３との間で書き込み、読み出して制御プログラム２４２により制御信号を生成してネットワーク１０を介して各種機器へ出力する。
【００３０】
さて、ＡＰＣ２は、オンエアされる番組の進行表のデータがネットワーク１０を介してＤＳ１から入力され、ＣＰＵ２３が通信Ｉ／Ｆ２１を介してネットワーク１０から入力された進行表のデータを記憶部２４に進行表２４１として書き込み記憶する。なお、この進行表２４１のデータ入力は、図示されない記憶媒体等によるデータの入出力手段によって行われても良い。
【００３１】
進行表２４１は、コンテンツや番組の進行が記憶されているが、オンエア系として使用される機器の具体的な選択や組合せは、この進行表２４１を基に作成されるＡＰＣ２のオンエア制御プログラム２４３に従って制御される。
【００３２】
ＡＰＣ２のオペレータは、この進行表２４１を、例えばディスプレイ２６に表示、参照してオンエア時に番組信号を入出力する各種機器のリストが記憶された制御テーブル２４２を作成するのに必要なデータやコマンドを入力部２５から入力する。
【００３３】
ＣＰＵ２３は、入力されたデータ等により制御テーブル２４２を作成して記憶部２４に書き込み、記憶する。そして、ＣＰＵ２３は、局内時計８を参照してこの制御テーブル２４２を読み出しながら制御プログラム２４３を実行し、オンエア系の各種機器へリアルタイム制御を行う所定のオンエア制御信号をネットワーク１０を介して出力する。その結果、制御テーブルに対応して各種機器間が素材信号伝送系９で接続され、番組素材信号が各機器間で入出力されることによりオンエアされる放送番組信号が作成されて送信器へ向け出力される。
【００３４】
一方、字幕収録制御装置７は、あたかも自分がＡＰＣ２であるかの如く、ＡＰＣ２が出力するオンエア系の機器の制御を行う制御信号と同様のフォーマットで字幕収録の制御信号をネットワーク１０へ出力する。この字幕収録の制御信号の受信先の機器では、字幕収録制御装置７から受信する制御信号に従って素材信号伝送系９を介して番組素材信号が入出力されるので、その結果字幕収録が可能になる。
【００３５】
図３、図４は、進行表２４１と制御テーブル２４２の一例である。  
以下、図３、図４を参照してスタジオにおける機器間の信号入出力の制御について説明する。  
図３で示される進行表２４１は、時刻欄、その時刻に放送される番組欄とその番組素材信号を示す代表素材Ａ、Ｂの欄に当該番組素材信号を出力する代表機器名欄と、記録テープ等の内容を示すコンテンツ欄があり、それらの代表的な名称が記載されている。
【００３６】
また、図４で示される制御テーブル２４２では、進行表２４１に加えて、代表機器名、またはコンテンツ名に対応して実際にその番組素材信号を出力する機器やコンテンツの詳細な識別情報（名称、記号または番号等。）が書き込まれる。
【００３７】
図３、および図４では、時刻欄の「１０：０５」に対応する番組欄に「ニュース」と「現地リポート」、またその時刻欄に対応する代表機器名欄に２つの番組素材が使われることを示す「取材ビデオ」、と「文字案内」とが書き込まれている。
【００３８】
図４の制御テーブル２４２では更に、代表素材Ａ「取材ビデオ」に対応する現用機器Ａ欄に「再生ＶＴＲ（＃１）」、予備機器Ａ欄に「再生ＶＴＲ（＃２）」、同じくコンテンツ欄には、ＶＴＲ３（＃１、＃２）にセットされるテープの番号「ＪＡ１００１」が書き込まれている。
【００３９】
同様に、映像（ＳＤＩ信号）に多重表示される字幕（文字）の「文字案内」欄に対応する現用機器Ｂ欄に「字幕送出（＃１）」、予備機器Ｂ欄に「字幕送出（＃２）」、同じく「文字案内」に対応するコンテンツ欄には、現地の天気予報の文字情報として字幕サーバ４から読み出される字幕データのファイル名「気Ａ００５」が書き込まれている。
【００４０】
また、同様に図３、図４では上記番組とは別の番組が示されており、時刻欄「２２：００」に対応する番組欄に「特別番組」の「日本の美術」、代表素材欄Ａに代表素材の「取材ビデオ」が書き込まれている。図４の制御テーブル２４２に、「取材ビデオ」に対応する現用機器Ａ欄に「再生ＶＴＲ（＃１）」、予備機器Ａ欄に「再生ＶＴＲ（＃２）」、同じく「コンテンツ」欄には、ＶＴＲ３（＃１、＃２）が出力するテープの番号「ＪＳ１００１」が書き込まれている。
【００４１】
ところが、時刻欄「２２：００」に対応する「代表素材Ｂ」にはデータが記述されて居らず、このコンテンツの「ＪＳ１００１」は、字幕が重畳された重畳ＳＤＩ信号であることが判る。ＡＰＣ２のオペレータには、その「ＪＳ１００１」を作成するために、字幕が重畳されていない生の映像を記録したテープを探しだし、そのテープから再生出力されるＳＤＩ信号に番組中で画面説明をする字幕データを重畳して記録する字幕収録の編集作業が必要な番組であることが判る。そして、この字幕収録の編集作業を放送時間までに終了しておくことは、予め編集作業員に別途指示されている。
【００４２】
字幕収録の編集を行う編集員は、字幕編集作業時間中にオンエアで使用されない機器を調べ出し、その使用されない機器から字幕収録に用いる機器を選定する。また、編集員は、進行表に記載されている「日本の美術」の編集に必要な生のテープの番号「ＪＡ１００１」を準備作業として調べ出している。
【００４３】
そして、後述の手順により字幕収録制御装置７へ字幕収録に用いる機器の識別情報が編集員から入力されると、制御収録制御装置７は、予め決められたシーケンス制御プログラムＳＰで、映像信号（ＳＤＩ信号）に字幕を重畳した重畳ＳＤＩ信号を作成して収録ＶＴＲに記録する制御を行う。
【００４４】
さて、今、スタジオで番組の編集員が、前述のニュースの放送中の１０：００前後に、先の特別報道番組「日本の美術」字幕収録の編集を行うとする。
【００４５】
編集員は、例えば「ＣＴＢ」の様な制御テーブル２４２を表示するコマンドをＡＰＣ２の入力部２５から入力してディスプレイ２６により表示することにより字幕編集作業を行う１０：００前後にＡＰＣ２によって制御されオンエアに使用される機器を調べて、字幕収録の編集作業に使用可能な機器を探し出す。
【００４６】
なお、別の方法として、後述する図６に示される制御収録制御装置７の入力部７５からネットワーク１０を介してＡＰＣ２の制御テーブル２４２を読み出すコマンドを送信し、この読み出しコマンドに応答してＡＰＣ２が記憶部２４から読み出して返信された制御テーブル２４２のデータを制御収録制御装置７のディスプレイ７６に表示して編集作業に使用可能な機器を探し出しても良い。
【００４７】
更にまた、オンエア中に同時に複数の字幕編集作業を行う場合等に備えて、再生、及び収録ＶＴＲ等の使用予定が図示されないＶＴＲ管理サーバ等に登録されて管理される場合には、編集員は、そのＶＴＲ管理サーバの登録表を所定の方法で検索することにより字幕収録に使用可能なＶＴＲ等の機器を探し出しても良い。
【００４８】
この様に機器の使用状況の調査した結果、字幕収録の編集作業予定時間では、再生ＶＴＲ３（＃Ｎ）、字幕送出装置５（＃Ｍ）、収録ＶＴＲ６（＃ｎ）の使用予定が無いことが分かり、字幕収録に使用されることになったとする。
【００４９】
字幕収録制御装置７は、上記の再生ＶＴＲ３（＃Ｎ）と字幕送出装置５（＃Ｍ）、および収録ＶＴＲ６（＃ｎ）とを用いて、再生ＶＴＲ３（＃Ｎ）から出力されるＳＤＩ信号と字幕サーバ４から入力される字幕データとを字幕送出装置５（＃Ｍ）が重畳して重畳ＳＤＩ信号を作成して収録ＶＴＲ６（＃ｎ）で収録する制御を行う。
【００５０】
図５は、字幕収録制御装置７へ編集員が入力する上記の機器の識別情報や、字幕データを説明する編集テーブルＴである。  
この編集テーブルＴは、本発明の実施例において用いられるものではないが、動作説明の理解を助けるためにＡＰＣ２の制御テーブル２４２に倣って説明する。
【００５１】
図５において、編集テーブルＴは、入力素材ＡのＳＤＩ信号と入力信号Ｂの字幕データとから出力素材の重畳ＳＤＩ信号を作成する場合の設定項目が示されている。
【００５２】
入力素材Ａ欄には、ＳＤＩ信号を出力する機器である再生ＶＴＲ３の番号「＃Ｎ」と再生ＶＴＲにセットされるコンテンツ元のテープ番号「ＪＡ１００１」、入力素材Ｂ欄に字幕重畳をする字幕送出装置５の番号「＃Ｍ」とそれに入力されるコンテンツ元である字幕ファイル名の「ＣＡＰ００１」、および出力素材欄に収録ＶＴＲ６の番号「＃ｎ」と収録ＶＴＲ６が記録するコンテンツのテープ番号「ＪＳ１００１」とが記入されている。
【００５３】
字幕ファイルの名（番号）「ＣＡＰ００１」は、字幕サーバ４から出力される字幕データのファイル名である。出力素材のテープ番号「ＪＳ１００１」は、予め字幕ファイル「ＣＡＰ００１」と対応して設定されるので、字幕収録制御装置７では「ＣＡＰ００１」のみ入力して設定すればよい。
【００５４】
なお、上記の設定データの内、テープ番号の「ＪＡ１００１」は、別途、図１には図示されていないＶＴＲ統合制御装置等によって再生ＶＴＲ３にセットされる場合には、字幕収録制御装置７では管理されないので、入力項目から除外される。
【００５５】
以下、入力されたデータ等の処理を行う字幕収録制御装置７の構成と動作について説明する。
【００５６】
図６は、字幕収録制御装置７の機能構成を示す機能ブロック図である。  
図６において字幕収録制御装置７は、それぞれの間が内部のバス等により接続された通信Ｉ／Ｆ７１、プロセスコントローラ部７２、ＣＰＵ７３、メモリ部７４、入力部７５、ディスプレイ７６を備えている。
【００５７】
通信Ｉ／Ｆ７１は、内部のバスとネットワーク１０との間で信号を入出力するインタフェースである。プロセスコントローラ部７２は、通信Ｉ／Ｆ７１とネットワーク１０を介してＡＰＣ２に制御されるオンエア系の各機器を制御する場合と同様のフォーマットで各種の制御信号を出力する。
【００５８】
この制御信号は、メモリ部７４に記憶されたシーケンス制御プログラムＳＰによりネットワーク１０へ出力され、その制御信号を受信した各機器は、あたかもＡＰＣ２から送信される制御信号によって制御されるのと同様にリアルタイム制御される。
【００５９】
入力部７５は、字幕収録に用いる各機器を指定する機器の識別情報や重畳する字幕データのファイル名、および字幕収録処理のコマンド等を指定して入力する入力手段であり、ディスプレイ７６は、これらの入力されるデータやコマンドとプロセスコントローラ部７２が制御する各種のデータ等を表示する表示手段である。
【００６０】
ＣＰＵ７３は、入力部７５から入力されたデータやディスプレイ７６の表示を制御するとともに、入力部７５から入力されたデータやコマンドをプロセスコントローラ部７２との間で入出力する。
【００６１】
なお、以下の説明では、図６に示される機能構成により動作説明を行うが、字幕収録制御装置７は、ＣＰＵ７３、入力部７５、ディスプレイ７６、およびメモリ部７４の一部がパーソナルコンピュータ（以下、ＰＣと省略する。）により構成され、プロセスコントローラ部７２とプロセスコントローラ部７２との間がシリアルインタフェース等で接続され、データが相互に入出力されるものであっても良い。
【００６２】
この場合、メモリ部７４は、ＰＣに付属するメモリ部７４−１とプロセスコントローラ部７２に付属するメモリ部７４−２との２つに分かれた構成となる。そして、プロセスコントローラ部７２は、メモリ部７４−２が記憶しているシーケンス制御プログラムＳＰとコマンドテーブルＣＴとを読み出すことにより、ネットワーク１０を介してスタジオに設置された各機器へ字幕収録する制御を行う。
【００６３】
また通信Ｉ／Ｆ７１は、プロセスコントローラ部７２と組み合わされ、通信Ｉ／Ｆ７１とプロセスコントローラ部７２とからなる制御ノードが構成出来るので、ＰＣとプロセスコントローラからなる汎用品を組合せることにより低コストで字幕収録制御を行う専用装置を構成することができる。
【００６４】
図７は、本発明の実施例に係る字幕収録制御方法における各構成の動作手順を説明するフローチャートである。  
図７において左側のフローは、字幕収録制御装置７の動作手順を示し、右側のフローは、スタジオに設置される各種の機器の動作手順を示している。以下、図１〜図６、および図７のフローチャートを参照して字幕収録制御方法の動作手順を説明する。
【００６５】
図５に示された如く字幕収録には、再生ＶＴＲ３（＃Ｎ）、字幕送出装置５（＃Ｍ）、収録ＶＴＲ６（＃ｎ）が使用される。
【００６６】
編集員により、字幕収録装置７が“電源ＯＮ”にされる（ステップｓ１）。ＣＰＵ７３は、この“電源ＯＮ”を検出してプロセスコントローラ部７２を起動、又は呼び出して待機状態にする（ステップｓ２）。
【００６７】
図８は、図５に記載された機器とコンテンツ名称等を字幕収録制御装置７の入力部７５から入力して指定する場合のディスプレイ７６の画面の一例である。
【００６８】
図８において前述の方法により編集員が字幕収録に使用する機器として探し出された、例えば、「再生ＶＴＲ」欄に「Ｎ」、「字幕送出装置」欄に「Ｍ」、および「収録ＶＴＲ」欄に「ｎ」の番号による識別情報が入力部７５から入力される（ステップｓ３）。
【００６９】
ＣＰＵ７３は、入力された識別情報（番号）をメモリ部７４へ転送し、メモリ部７４−２に記憶されたコマンドテーブルＣＴへ書き込み記憶する。
【００７０】
そして、３つの識別情報（番号）が揃い、操作員が接続コマンドとしてディスプレイ７６の画面の「接続」のボタンを押すか、入力部のキーボード等から、例えば、「ＣＮ」の接続コマンドが入力される。ＣＰＵ７３は、接続コマンドをプロセスコントローラ部７２に出力し、プロセスコントローラ部７２は、コマンドテーブルＣＴを読み出し、通信Ｉ／Ｆ７１とネットワ−ク１０とを介して素材信号伝送系９のスイッチャへ字幕サーバ４の出力ポートおよび再生ＶＴＲ３（＃Ｎ）の出力ポートが字幕送出装置５（＃Ｍ）の入力ポートへ、また、字幕送出装置５（＃Ｍ）の出力ポートが収録ＶＴＲ６（＃ｎ）の入力ポートへ接続されるようクロスポイントを指定する制御信号を送信する。言い換えれば、指定された機器が素材信号伝送系９を介してそれぞれ接続されるための制御データで構成された接続コマンドが送信される（ステップｓ４）。
【００７１】
図９は、コマンドテーブルＣＴの内容を説明する図である。  
図９において、接続コマンドでは、送信先の欄にスイッチャの略号ＳＷ１と、編集員に入力された再生ＶＴＲ３を始めとして素材信号伝送系９に接続される機器の略号と番号が、例えば、「ＰＶ＃Ｎ」の様に書き込まれ、制御データの欄に、再生ＶＴＲ３（＃Ｎ）の出力ポートを字幕送出装置５（＃Ｍ）の入力ポートに接続すること等が、「ＣＮ：ＰＶ＃Ｎｏ＞ＤＴ＃Ｍｉ…」の様に書き込まれたことによりスイッチャのクロスポイントを指定する制御信号が送信される。
【００７２】
この接続コマンドは、各機器の番号、例えば、「Ｎ」が編集員の入力に従って書き換えられるだけで、接続を意味する“ＣＮ”や接続される機器を示す略号部分、例えば、再生ＶＴＲを示す“ＰＶ＃”およびその出力ポートを意味する“ｏ”等は書き換えられることはない。
【００７３】
この接続コマンドを受信した各機器は、素材信号伝送系９への接続処理を行い（ステップｓ４―１）、接続状態である確認応答（レスポンス）をネットワーク１０を介して字幕収録制御装置７へ送信して（ステップｓ５）、字幕収録制御装置７から開始コマンドを受信するまで番組素材信号の入出力に備えて待機する。
【００７４】
字幕収録制御装置７では、各機器からの確認応答が通信Ｉ／Ｆ７１を介してプロセスコントローラ部７２で受信され（ステップｓ５―１）、更に内部バス等を介してＣＰＵ７３へ転送、または受信通知が行われる。そして、ＣＰＵ７３は、各機器が接続状態であることをディスプレイ７６に「接続」を表示（ステップｓ６）して編集員へ通知する。
【００７５】
編集員は、この接続表示を確認すると、再生ＶＴＲ３（＃Ｎ）が再生するコンテンツ、ここでは、番組名「日本の美術」に対応するコンテンツを記録したテープの番号「ＪＡ１００１」を、「コンテンツ」欄へ、また字幕データの欄へ「日本の美術」のＳＤＩ信号に重畳される字幕データのファイル名「ＣＡＰ００１」を入力する（ステップｓ７）。
【００７６】
入力された「ＪＡ１００１」と「ＣＡＰ００１」をセットする制御信号（セットコマンド）が、字幕収録制御装置７の通信Ｉ／Ｆ７１とネットワーク１０を介して図示されない統合ＶＴＲ制御装置、および字幕サーバ４へ送信される（ステップｓ７−１）。テープ番号「ＪＡ１００１」を受信した映像サーバの制御によりコンテンツ番号「ＪＡ１００１」が記録されたテープが再生ＶＴＲ３（＃Ｎ）にセットされ、字幕サーバ４では字幕データのファイル「ＣＡＰ００１」がセットされる（ステップｓ７−２）。
【００７７】
そして、そのテープのセット終了と字幕データのセット終了を示す確認応答とが、再生ＶＴＲ３（＃Ｎ）と字幕サーバ４とからネットワーク１０を介して字幕収録制御装置７へ送信される（ステップｓ８）。なお、収録ＶＴＲ６（＃ｎ）は、接続コマンド受信時に収録するテープのセットが済んでいる。
【００７８】
字幕収録制御装置７では、これらのセット終了の確認応答がネットワーク１０を介して受信される（ステップｓ８−１）と、前述の接続状態の確認応答の動作と同様にプロセスコントローラ部７２からＣＰＵ７３へセット終了の確認応答が通知される。そしてＣＰＵ７３は、ディスプレイ７６に、例えば、「レディ」を表示する（ステップｓ９）ことにより字幕収録の開始が可能な状態であることを編集員に通知する。
【００７９】
なお、再生ＶＴＲ３へのテープ（ここでは、「ＪＡ１００１」）のセットが予め図示されていない、例えば、ＶＴＲのテープローダー等で実行される方法の場合、ステップｓ７〜ｓ８では上記のテープセットについてのコマンドと確認応答の手順は省略される。また、字幕データのファイル「ＣＡＰ００１」の入力は、字幕収録に使用する機器の番号を入力するのと併せて行っても良い。
【００８０】
編集員は、この「レディ」表示を確認すると画面上の「スタート」ボタンを押すか、または、入力部７５のキーボードから例えば、「ＳＴＡＲＴ」を入力することにより収録の開始コマンドを入力する（ステップｓ１０）。
【００８１】
ＣＰＵ７３は、入力された収録の開始コマンドをプロセスコントローラ部７２へ出力し、プロセスコントローラ部７２は、局内時計８とメモリ部７４を参照して再生ＶＴＲ３（＃Ｎ）、字幕送出装置５（＃Ｍ）、と収録ＶＴＲ６（＃ｎ）、及び字幕サーバ４を夫々動作開始させる制御信号（データ）をネットワーク１０を介して送信する（ステップｓ１１）。
【００８２】
図１の局内時計８からは、ネットワーク１０を介して時刻情報を時々刻々送信（放送）しているので、素材信号伝送系９に接続された前記各機器は、動作開始の制御信号を受信し、その時刻に同期して字幕収録処理を行う（ステップｓ１１―１）。なお、オンエア系に接続されている他の機器、およびＡＰＣ２等もこの局内時計８を参照して動作しているので、ＡＰＣ２は、字幕収録制御装置７が字幕映像収録を制御するのと平行して、且つ支障となることなくオンエアを制御することができる。
【００８３】
また、字幕収録を終了する時刻になった場合、入力部７５へ編集員により、例えば、ディスプレイ７６の画面上の「ストップ」のボタンが押されて字幕収録の終了コマンドが入力される。そして、動作開始の制御信号の送信時と同様の手順で動作終了の制御信号がネットワーク１０を介して再生ＶＴＲ３（＃Ｎ）、字幕送出装置５（＃Ｍ）、と収録ＶＴＲ６（＃ｎ）、および字幕サーバ４へ送信される（ステップｓ１２）。動作終了の制御信号を受信した各機器が素材信号伝送系９との間で行っていた信号入出力も切断され、動作を終了する（ステップｓ１２−１）。
【００８４】
図１０は、字幕収録制御部７のプロセスコントローラ部７２が出力する制御信号に従って、各機器が動作するシーケンス図である。  
以下、図１０により字幕映像収録の処理手順を説明する。図１０において左側のシーケンスは、字幕収録制御装置７の動作手順を示し、右側のシーケンスは、スタジオに設置される各種の機器の動作手順を示している。
【００８５】
字幕収録に携わる前述の各機器は、字幕収録制御部７から開始コマンドの制御信号をネットワーク１０を介して受信する（ステップｓ８１）。収録ＶＴＲ６（＃ｎ）は、記録を開始し（ステップｓ８２）、続いて再生ＶＴＲ３（＃Ｎ）が再生されたＳＤＩ信情報出力を開始する（ステップｓ８３）。そして字幕送出装置５（＃Ｍ）は時計を参照しつつスタンバイとなり（ステップｓ８４）、その後字幕サーバ４から字幕データのファイルが素材信号伝送系９を介して字幕送出装置５（＃Ｍ）へ出力される（ステップｓ８５）。上記ステップｓ８１〜８５は、各機器が局内時計８を参照し、例えば、１秒間隔で順番に動作を開始する。
【００８６】
図９のコマンドテーブルＣＴに戻り、上記の開始コマンドに対応して各機器が動作する制御データを説明する。開始コマンドが入力された字幕収録制御部７では、プロセスコントローラ部７２がメモリ部７４−２からコマンドテーブルＣＴを読み出す。開始コマンドに対する各機器の処理と動作開始の時刻は異なるので局内時計８を基準としてそれぞれの機器に対して別の制御データが送信されている。
【００８７】
例えば、送信先が収録ＶＴＲ６（＃ｎ）については、送信先欄へ「ＲＶ＃ｎ」、時刻欄へ基準時刻の「０：００：００．０」が動作開始タイミングであること、また制御データ欄へは、記録の処理をさせる制御データ「ＲＣＤ」が書き込まれている。また、送信先が再生ＶＴＲ３（＃Ｎ）については、送信先欄へ「ＰＶ＃Ｎ」、時刻欄へ基準時刻から１秒後の「０：００：０１．０」が動作開始タイミングであることと、制御データ欄へは、再生信号（ＳＤＩ信号）を出力させる制御データ「ＰＬＹ」が書き込まれている。
【００８８】
そして、残りの字幕送出装置５（＃Ｍ）やサーバＣＳの開始タイミングと動作についても同様にそれぞれの制御データが書き込まれるがそれぞれの処理、例えば、収録ＶＴＲ６（＃ｎ）に対する制御データ「ＲＣＤ」等は、書き換えられることはない。
【００８９】
なお、字幕サーバ４への制御データについては、送信先欄「ＣＳ４」は変わらないが字幕データを指定するファイル名（番号）（ここでは、「ＣＡＰ００１」）が編集員からの入力により指定、変更される。
【００９０】
さて、ステップｓ８３で再生ＶＴＲ３（＃Ｎ）から出力されたＳＤＩ信号は、素材信号伝送系９を介して字幕送出装置５（＃Ｍ）へ入力される。字幕送出装置５（＃Ｍ）は、ステップ８５で入力された字幕データのファイルを読み出し（ステップｓ８６）、そのファイルに記述された時刻情報と再生ＶＴＲ３（＃Ｎ）から入力されるＳＤＩ信号中の開始キュー（映像と字幕とのタイミング合わせを開始する合図）とネットワーク１０を介して受信する局内時計８からの時刻信号とを照合する（ステップｓ８６−１）。
【００９１】
そして、字幕送出装置５（＃Ｍ）は、キューを基準として時刻信号に同期してＳＤＩ信号（映像信号）に所定のタイミングで文字（字幕データ）が重畳表示された重畳ＳＤＩ信号を作成し、その重畳ＳＤＩ信号は、素材信号伝送系９を介して収録ＶＴＲ６（＃ｎ）へ出力される（ステップｓ８７）。収録ＶＴＲ６（＃ｎ）では、字幕送出装置５（＃Ｍ）から入力される重畳ＳＤＩ信号が記録される（ステップｓ８８）。
【００９２】
そして字幕収録の終了予定時刻になった場合、動作終了のコマンド、例えば、「ＳＴＯＰ」が編集員により入力部７５から入力されるか、もしくは、ディスプレイ７６の画面の「ストップ」ボタンを押されると、その動作終了の制御信号がネットワーク１０を介して、再生ＶＴＲ３（＃Ｎ）、字幕送出装置５（＃Ｍ）、と収録ＶＴＲ６（＃ｎ）、及び字幕サーバ４に送信される（図７のステップｓ１２）。
【００９３】
この終了コマンドにより、収録ＶＴＲ６（＃ｎ）、再生ＶＴＲ３（＃Ｎ）、字幕送出装置５（＃Ｍ）の順に動作を停止する（ステップｓ８９）。そして、字幕収録制御装置７のプロセスコントローラ部７２から通信Ｉ／Ｆ７１とネットワーク１０とを介して素材信号伝送系９の図示されないスイッチャへ接続断の制御信号が続いて送信され（ステップｓ９０）、再生ＶＴＲ３（＃Ｎ）、字幕送出装置５（＃Ｍ）、と収録ＶＴＲ６（＃ｎ）とが素材信号伝送系９から切断され（ステップｓ９１）、字幕収録動作が終了する。
【００９４】
このステップｓ８１〜ｓ９１のシーケンスは、メモリ部７２に予め所定の順番とタイミングで各機器の処理をおこなうシーケンス制御プログラムＳＰとして記憶されており、前述の如く入力部７５によって指定された機器の番号が変わるだけで字幕収録の都度シーケンスは変更されない。
【００９５】
なお、標準シーケンスは、各機器が動作を開始する順序や処理の変更はされないが、各機器が動作を開始する間隔は幾つかの候補が準備され、字幕収録の作業を行う時にその間隔を設定できるようにしてもよい。設定方法は、例えば、その間隔として０．５秒、１秒、１．５秒の値が予め図６のメモリ部７４−２に記憶され、その候補値をディスプレイ７６に表示し、入力部７５からその内からいずれかを指定して入力する。
【００９６】
また別の方法として、字幕収録制御装置７に図示されない上記候補値を設定するダイヤルと、ダイヤルに連動してＣＰＵ７３がメモリ７４−２へ設定される時間の書き込み・読み出し手段を設け、そのダイヤルを所望の間隔の時間に合わせることによりＣＰＵ７３がコマンドテーブルＣＴを書き換えるようにしても良い。
【００９７】
上記いずれかの方法により、間隔が例えば、０．５秒に指定された場合、図９におけるコマンドテーブルＣＴの時刻欄は、上から「０：００：００：０」、「０：００：００．５」、「０：００：０１：０」、「０：００：０１．５」の様に書き変えられる。
【００９８】
また本発明の実施例においては、字幕収録用に指定された機器が、万一、ＡＰＣ２からオンエアに用いる機器に重複して指定された場合でもＡＰＣ２の制御テーブル２４２には、現用と予備の機器が指定されているので重複指定された機器に代わり、オンエア制御プログラム２４３は予備の機器をオンエアに使用する制御を行うのでオンエアが中断されることはない。
【００９９】
更にまた、例えば、字幕送出装置５の機器数に余裕が有る場合、編集員の操作を軽減するために字幕送出装置５（＃Ｍ）をＡＰＣ２の制御を受けない字幕収録用の専用機器にデフォルト指定することにより、再生ＶＴＲ３と収録ＶＴＲ６と字幕データの指定だけを行えば済むようにして重複指定を避けるようにしても良い。
【０１００】
以上説明した如く、本発明による字幕収録制御方法、および字幕収録装置によれば、ＡＰＣの制御プラグラムを作成することなく、オンエアに支障を与えない字幕編集作業が容易に行える。
【図面の簡単な説明】
【０１０１】
【図１】本発明の実施例に係る字幕収録制御装置およびデジタル字幕収録制御方法の動作説明をするための機器系統図。
【図２】ＡＰＣの機能構成を説明するブロック図。
【図３】進行表の一例を示す図。
【図４】ＡＰＣの制御テーブルの一例を示す図。
【図５】字幕収録制御装置の編集作業に参照する制御テーブル。
【図６】字幕収録制御装置の機能構成を示す機能ブロック図。
【図７】本発明の実施例に係る字幕収録制御装置に制御される各機器の間の動作手順を説明するフローチャート。
【図８】字幕収録に使用する機器とコンテンツ名称の入力ディスプレイ画面の一例。
【図９】字幕収録制御部が出力するコマンドテーブルの図。
【図１０】字幕収録制御部が出力する制御信号に従って、各機器が動作するシーケンス図。
【図１１】オンエア系と同じ仕様の字幕収録用の機器を準備して字幕編集作業を行う場合の機器系統図。
【符号の説明】
【０１０２】
１  ＤＳ（データサーバ）
２  ＡＰＣ（自動番組送出装置）
２４１  進行表
２４２  制御テーブル
２４３  オンエア制御プログラム
３  再生ＶＴＲ
４  字幕サーバ
５  字幕送出装置
６  収録ＶＴＲ
７  字幕収録制御装置
７１  通信Ｉ／Ｆ（インタフェース）
７２  プロセスコントローラ部
７３  ＣＰＵ
７４  メモリ部
７５  入力部
７６  ディスプレイ
８  局内時計
９  素材信号伝送系
１０  ネットワーク
Ｔ  編集テーブル
ＣＴ  コマンドテーブル
【図１】
2006319574.tif 000003
【図２】
2006319574.tif 000004
【図３】
2006319574.tif 000005
【図４】
2006319574.tif 000006
【図５】
2006319574.tif 000007
【図６】
2006319574.tif 000008
【図７】
2006319574.tif 000009
【図８】
2006319574.tif 000010
【図９】
2006319574.tif 000011
【図１０】
2006319574.tif 000012
【図１１】
2006319574.tif 000013